(57)【要約】【課題】  高密度光記録媒体及びこの高密度光記録媒体にデータを記録する方法を提供する。【解決手段】  複数のデータ記録／再生面のうち光源に最も近い記録／再生面を除いた記録／再生面のうち選択されたいずれかの記録／再生面にデータを記録し、あるいは再生する時の光パワーをＰｒとした場合に、前記選択された記録／再生面よりも光源から遠く具備された直後の記録／再生面にデータを記録し、あるいは再生するときには、前記Ｐｒよりも少なくとも４％〜２０％以上増加されたパワーを有する光を用いてデータを記録したり、あるいは再生することを特徴とする。【選択図】    図８
2005093069.tif 000002
【特許請求の範囲】
【請求項１】
複数のデータ記録／再生面を具備する光記録媒体にデータを記録／再生する方法において、
前記複数のデータ記録／再生面のうち光源に最も近い記録／再生面を除いた記録／再生面のうち選択されたいずれかの記録／再生面にデータを記録し、あるいは再生する時の光パワーをＰｒとした場合に、前記選択された記録／再生面よりも光源から遠く具備された直後の記録／再生面にデータを記録し、あるいは再生するときには、前記Ｐｒよりも少なくとも４％〜２０％以上増加されたパワーを有する光を用いてデータを記録したり、あるいは再生することを特徴とするデータ記録／再生方法。
【請求項２】
前記選択されたデータ記録／再生面に対するデータの記録または再生は、前記光記録媒体の一側から入射する前記パワーを有する光を用いて行うことを特徴とする請求項１に記載のデータ記録／再生方法。
【請求項３】
前記選択されたデータ記録／再生面に対するデータの記録または再生は、前記光記録媒体の両側に具備された光源のうち選択されたいずれかの光源から入射する前記パワーを有する光を用いて行うことを特徴とする請求項１に記載のデータ記録／再生方法。
【発明の詳細な説明】
【技術分野】
【０００１】
本発明は高密度のデータ記録が可能な光記録媒体及びこの高密度光記録媒体にデータを記録する方法に関する。
【背景技術】
【０００２】
一般に、光記録媒体に記録されたデータを判読したり、あるいは光記録媒体にデータを記録しようとする時には、光ピックアップ装置を用い、非接触方式によりデータの判読及び記録が可能である。光記録媒体は、ＣＤとして知られているコンパクトディスクとＤＶＤとして知られているデジタル多機能ディスクとに大別できる。これらはデータの記録容量をもって互いに区分できるが、直径及び総厚さが各々１２ｃｍ及び１．２ｍｍと同一であって、外部の構造は同一であると言える。
【０００３】
ＤＶＤの全体的な外形及びサイズがＣＤと同一であるにも拘わらず、ＣＤに比べてデータの記録容量がはるかに大きいのは、両者の間に、内部の構造、特にデータの記録に必要な規格、データが記録される基板の厚さ、トラックピッチ、最小ピットの大きさなどが異なるからである。すなわち、ＤＶＤはＣＤに比べて前記規格がはるかに厳しい。このように、ＤＶＤの内部の規格がＣＤに比べて厳しくなるに伴い、ＤＶＤに使用されるデータの判読及び記録のための光源の波長もＣＤよりも短くなりつつある。
【０００４】
一方、新しい情報伝達媒体、例えば、ＨＤ−ＴＶの登場に伴い、一回に記録すべきデータの量が大きくなり、その結果、ＤＶＤのデータ記録容量も増える必要がある。この理由から、データの記録容量をより高めたＤＶＤが次から次へと発表され、特許化されている。例えば、片面にデータの記録が可能な記録面を複数個具備するＤＶＤは、既に特許出願中にある。
【０００５】
図１は、従来の技術によるＤＶＤを示したものであって、片面に情報信号が記録された第１及び第２情報基板１１１、１２１と、第１情報基板１１１と第２情報基板１２１との間に配置され、両面に情報信号が記録された第３情報基板１３１とを含む。前記第１情報基板１１１は、記録／再生用光Ｌが入射する第１入射面１１１ａと、情報信号が記録された第１記録面１１１ｂとを有する。前記第１記録面１１１ｂには、入射光の一部を反射させ、残りは前記第３情報基板１３１側に透過させる第１反射層１１３が形成される。そして、前記第１反射層１１３には、情報信号が記録された第１記録層１１５及び、この第１記録層１１５に形成されるものであって、入射光の一部を反射させる第２反射層１１７が形成される。
【０００６】
第２情報基板１２１は、記録／再生用光Ｌが入射する第２入射面１２１ａと、情報信号が記録された第２記録面１２１ｂとを有する。第２記録面１２１ｂには、入射光の一部を反射させる第３反射層１２３が形成される。第３反射層１２３には、情報信号が記録された第２記録層１２５及び、第２記録層１２５に形成されるものであって、入射光の一部を反射させる第４反射層１２７が形成される。
【０００７】
第３情報基板１３１は第２反射層１１７と第４反射層１２７との間に接合形成されるものであって、第１及び第２反射層１１３、１１７を透過した光により情報信号が記録／再生される第３記録面１３１ａと、第３及び第４反射層１２３、１２７を透過した光により情報信号が記録／再生される第４記録面１３１ｂとを有する。
【０００８】
このように、片面に２層以上のデータ記録面が順次形成されている場合、前記記録面を光源に近い順番にＬ０，Ｌ１，Ｌ２，…としたとき、Ｌ１にデータを記録したり、あるいはＬ１に記録されたデータを判読する時、記録または判読用レーザーはＬ０を通過しなければならないため、Ｌ０の物理的な構造、例えば、Ｌ０にピットやグルーブ、またはデータ記録としてマークが付けられているグルーブなどの構造に影響される恐れがある。例えば、前記レーザーの進行経路上にあるＬ０の物理的な構造によりレーザーが回折されることにより、Ｌ１に達するレーザーの強度が異なってくる場合がある。これにより、Ｌ１から反射される光量が正常に反射された時の光量と異なり、その結果、Ｌ１に記録されたデータを正確に判読できない。また、前記レーザーが記録用である場合、Ｌ０を通過する間にその強度が記録に必要な臨界強度よりも弱くなる。その結果、データが正確に記録されなかったり、あるいは元のデータとは異なるデータが記録されたりする。
【発明の開示】
【発明が解決しようとする課題】
【０００９】
本発明が解決しようとする技術的課題は、複数のデータ記録／再生面を具備する光記録媒体において、前記複数のいずれの記録／再生面に対しても記録及び再生特性を低下させないようにした光記録媒体を提供することである。
【００１０】
本発明が解決しようとする他の技術的課題は、このような光記録媒体に対するデータ記録／再生方法を提供することである。
【課題を解決するための手段】
【００１１】
前記技術的課題を達成するために、本発明は、複数のデータ記録／再生面を具備する光記録媒体において、前記複数のデータ記録／再生面のうち選択されたいずれかの記録／再生面の選択されたいずれかの領域に入射する光の反射率をｒ１、ｒ２及びｒ３としたとき、前記各反射率は前記光を放出する光源と前記選択されたいずれかの記録／再生面との間に具備された記録／再生面のピット領域、ランド／グルーブ領域及びデータが記録されたランド／グルーブ領域を通過する光の反射率であり、ｒ１≧ｒ２≧ｒ３及び
【数２】
2005093069.tif 000003
を満足することを特徴とする光記録媒体を提供する。
【００１２】
この時、前記選択されたいずれかの領域は、ピット領域、ランド／グルーブ領域またはデータが記録されたランド／グルーブ領域である。
【００１３】
また、前記光記録媒体は、各々前記複数のデータ記録／再生面を具備する第１及び第２情報基板と、前記基板の間に具備されたものであって、前記第１及び第２情報基板に具備された各複層に対向するように前記両情報基板をボンディングする半透光性接着層とを含む。
【００１４】
あるいは、前記光記録媒体は、各々前記複数のデータ記録／再生面を具備する第１及び第２情報基板と、前記基板の間に具備されたものであって、前記第１及び第２情報基板に具備された各複層が対向するように前記両情報基板をボンディングする遮光性接着層とを含む。
【００１５】
前記他の技術的課題を達成するために、本発明は、複数のデータ記録／再生面を具備する光記録媒体に対するデータの記録／再生方法において、前記複数のデータ記録／再生面のうち光源に最も近い記録／再生面を除いた記録／再生面のうち選択されたいずれかの記録／再生面にデータを記録したり、あるいは再生する時の光パワーをＰｒとしたとき、前記選択された記録／再生面よりも光源から遠く具備された直後の記録／再生面にデータを記録したり、あるいは再生する時には前記Ｐｒよりも少なくとも４％〜２０％以上増加されたパワーを有する光を用いてデータを記録したり、あるいは再生することを特徴とするデータ記録／再生方法を提供する。
【００１６】
この時、前記選択されたデータ記録／再生面に対するデータの記録または再生は、前記光記録媒体の一側から入射する前記パワーを有する光を用いて行う。
【００１７】
あるいは、前記選択されたデータ記録／再生面に対するデータの記録または再生は、前記光記録媒体の両側に具備された光源のうち選択されたいずれかの光源から入射する前記パワーを有する光を用いて行う。
このように、本発明による光記録媒体を用いる場合、複数のデータ記録／再生面のうち選択されたいずれかの面にデータを記録したり、あるいは記録されたデータを判読して再生するに当たって、前記選択された面よりも光源に近く位置した記録／再生面があるので、前記選択された記録／再生面に対するデータの記録／再生特性が低下することを防止することができる。
【発明の効果】
【００１８】
以上述べたように、本発明による光記録媒体に具備された複数のデータ記録／再生面のうち選択されたいずれかの面の反射特性は前式（１）及び式（２）で表わされる。そして、前記選択されたいずれかの面に使用された光よりも増加されたパワーを有する光を用い、前記選択されたいずれかの面の直後に具備された記録／再生面にデータを記録したり、あるいは記録されたデータを再生する。したがって、前記複数の記録／再生面のうち選択されたいずれかの面にデータを記録したり、あるいは記録されたデータを判読して再生するに当たって、前記選択された面よりも光源に近く位置した記録／再生面があるので、前記選択された記録／再生面に対するデータ記録／再生特性の低下を防止することができる。
【発明を実施するための最良の形態】
【００１９】
以下、添付した図面を参照し、本発明による高密度光記録媒体及びこの高密度光記録媒体にデータを記録する方法について詳細に説明する。この時、添付した図中の層や領域の厚さは明細書の明確性のために誇張されている。
【００２０】
本発明者は、前述したように、本発明の実施形態による高密度のデータ記録が可能な光記録媒体及びこの高密度光記録媒体にデータを記録する方法を実現するために、下記のような実験を行った。
【００２１】
まず、片面が図２に示されたように構成された光記録媒体、例えば、ＤＶＤを準備した。
【００２２】
具体的に、基板４０上に順次形成された第１及び第２スペーサ層４２、４４を具備し、基板４０と第１スペーサ層４２との間に第１データ記録／再生面Ｌ０を具備し、第１及び第２スペーサ層４２、４４の間に第２データ記録／再生面Ｌ１を具備する光記録媒体を準備した。基板４０は、ＣＤやＤＶＤなどの光記録媒体に適用される基板と同一のものである。
【００２３】
一方、図２は、光記録媒体の両面を示したものでありうる。例えば、参照番号４０及び４４は１．２ｍｍの厚さのＤＶＤを構成する上下情報基板であり、参照番号４２はこれらの情報基板を第１及び第２データ記録／再生面Ｌ０、Ｌ１が対向するように接着する接着層４２である。この時、接着層４２は、前記光記録媒体の特性によりデータ記録／再生用光が透過可能な半透光性物質層、あるいは遮光性物質層でありうるが、一方向から第１及び第２データ記録／再生面に光を照射しうるように、半透光性物質層であることが望ましい。
【００２４】
第１データ記録／再生面Ｌ０は、第１及び第２領域Ａ１、Ａ２を含む。第１領域Ａ１または第２領域Ａ２は、パターンが全く形成されていない単なるミラー領域、ピットが形成されたピット領域及びランド／グルーブ領域のうち選択された少なくともいずれかの領域である。したがって、第１及び第２領域Ａ１、Ａ２は全体がミラー領域であり、又はミラー領域及びピット領域を含む領域であり、又はピットまたはグルーブが形成された領域とすることができる。あるいは、ミラー及びグルーブが混在する領域でもありうる。また、図３に示されたように、基本記録単位Ｒｂで記録再生を行うために、ピットＰでヘッドを構成したヘッド部Ｐｈが存在する場合もある。図３中、参照符号Ｇ及びＬは各々グルーブ及びランドを表わす。
【００２５】
このように、光記録媒体を準備した後、第２データ記録／再生面Ｌ１にデータを記録したり、あるいは記録されたデータを判読する間に、第１及び第２データ記録／再生面Ｌ０、Ｌ１の間に具備された第１スペーサ層４２によるデータ記録またはデータ判読のための光がいかなる影響を受けるかをテストするために、図４に示すように、ｎ個のデータ記録／再生面Ｌ０，Ｌ１，．．．Ｌｎ−１，Ｌｎを含むモデルを準備した。図４中、Ｒ０，Ｒ１，…Ｒｎは各々ｎ個のデータ記録／再生面Ｌ０，Ｌ１，．．．Ｌｎ−１，Ｌｎの光反射率、すなわち、反射される光量を表わし、α０Ｔ０，α１Ｔ１，…αｎ−１Ｔｎ−１及びαｎＴｎは各々ｎ個のデータ記録／再生面Ｌ０，Ｌ１，．．．Ｌｎ−１，Ｌｎの光透過率、すなわち、透過光量を各々表わす。ここで、α０，α１，…αｎ−１及びαｎは各々前記各記録／再生面の光透過係数である。次に、第１データ記録／再生面Ｌ０の物理的な構造がミラー、ピット、グルーブ及びピットを有するグルーブの形であり、かつデフォーカスが約３０μｍであるものを用いシミュレーションして透過光量を求めた後、同一の物理的な構造を有する第１データ記録／再生面Ｌ０に対して実際の測定を行った結果と比較した。前記シミュレーションでは、透過光量は、第２データ記録／再生面Ｌ１にスポットを結ぶ光に露出される第１データ記録／再生面Ｌ０のトラック数（例えば、開口率（ＮＡ）が０．６５である場合に６０トラック以上）を考慮して計算した。そして、実際の測定は３つの場合に対して行った。すなわち、第１データ記録／再生面Ｌ０にパターンが全く形成されていないミラーの場合と、ピットが形成されている場合及びグルーブが形成されている場合に区分して、第２データ記録／再生面Ｌ１から反射される光量がどれ程減るかを測定した。このことは、第１データ記録／再生面Ｌ０により光量がどれ程減るかを測定することと同一である。このような実際の測定において、光のスポットが結ばれる第２データ記録／再生面Ｌ１は反射膜を形成したミラー基板とし、第１データ記録／再生面Ｌ０に該当する入射面には第１データ記録／再生面Ｌ０の物理的な構造による効果だけを測定するために反射膜を形成しなかった。
【００２６】
このようなシミュレーションと実際の測定との比較結果を図５ないし図７に示す。そして、このようなシミュレーション及び実際の測定に使用された基本的なパラメータを要約すれば、下記表１のようになる。
【００２７】
【表１】
2005093069.tif 000004
【００２８】
図５は、第１データ記録／再生面Ｌ０のミラー領域における透過光量を基準としてトラックピッチの変化によるピット領域及びグルーブ領域の相対的な透過光量の変化を示すグラフであって、参照図形▲、●及び■はトラックピッチが各々０．３０μｍ、０．３４μｍ及び０．３８μｍである時のシミュレーション結果を表わし、参照図形○及び□はトラックピッチが各々０．３４μｍ及び０．３８μｍである時の実際の測定の結果を表わす。
【００２９】
まず、シミュレーション結果を参照すれば、第１データ記録／再生面Ｌ０を通過する光の透過光量の減少はミラー領域で最も小さく、ピット領域及びグルーブ領域の順に大きくなった。そして、トラックピッチが小さくなるほど透過光量の減少も大きくなった。すなわち、第１データ記録／再生面Ｌ０の特定の領域、例えば、グルーブ領域を通過する光量はグルーブ領域のトラックピッチが小さくなるほど減る。しかし、ピット領域よりはグルーブ領域の方で透過光量の減少幅が大きくなった。例えば、ピット領域ではトラックピッチにより透過光量がミラー領域の透過光量に比べて約４％〜７．５％減ったが、グルーブ領域では７．５％〜２８．５％まで減った。このシミュレーションでは、グルーブにマークが存在する領域についてはマークとランド／グルーブとの間の反射率の差だけを考慮したが、実際の非晶質状態のマークと結晶質状態のマークとの吸収差による透過率の差は考慮していない。
【００３０】
次に、実際の測定の結果を参照すれば、トラックピッチを０．３８μｍにしてピット領域の透過光量を測定したところ、ミラー領域に比べて約４％の透過光量の減少が見られ、シミュレーション結果と大した差はなかった。
【００３１】
一方、グルーブ領域についてはシミュレーション結果よりも透過光量の減少が小さかった。これは、シミュレーション条件による。すなわち、シミュレーションではランド領域とグルーブ領域とを連結する側壁の角が垂直であるが、実際の側壁はこれよりも小さい約６０゜の角を有するため、この二つの場合の透過光量の差を計算すれば、側壁が６０゜である時に透過光量が約３％大きい。このように、シミュレーション結果と実際の測定の結果とが異なる理由の一つは、シミュレーションに使用されたパラメータが異なるためである。このため、パラメータを調節することにより、シミュレーション結果と実際の測定の結果とを一致させることができる。
【００３２】
図６は、第１データ記録／再生面Ｌ０のピット領域に対する透過光量を基準としてトラックピッチによるグルーブ領域における相対的な透過光量の変化を示すグラフであって、グルーブ領域における透過光量は前記ミラー領域を基準とした場合と類似の変化を示すことが分かる。各参照図形に関するトラックピッチの変化は図５と同一である。
【００３３】
図７は、トラックピッチが０．３８μｍである時を基準として、グルーブ領域及びピット領域におけるトラックピッチによる透過光量の変化をシミュレーション結果と実際の測定の結果とを比較して示すグラフであって、参照図形■、▲及び●は図５及び図６とは異なり、各々トラックピッチによるグルーブ領域■、▲及びピット領域●における透過光量の変化を表わし、グルーブ領域のうち■はシミュレーションによるものを、▲は実測によるものを表わす。
【００３４】
図７を参照すれば、シミュレーションでは、ピット領域における透過光量はピット領域のトラックピッチが小さくなるほど減り、トラックピッチが０．３８μｍ（実際には、ヘッダ部分で相異なるラインピット間の距離がトラックピッチの２倍であるため、０．３８μｍ×２となる）である場合に比べて０．３４μｍ（同一の理由から、実際には０．３４μｍ×２となる）である場合には、ピット領域における透過光量が約４％減った。しかし、ヘッダ構造である場合、減少量は一層小さくなると予想される。
【００３５】
一方、グルーブ領域では、トラックピッチが０．３４μｍ及び０．３０μｍである時に透過光量が各々約９．５％及び約２２％減った。しかし、実際の測定の結果（▲）では、トラックピッチが０．３４μｍである時に透過光量は約７．５％減った。
【００３６】
したがって、高密度光記録媒体を具現するために、トラックピッチが０．３０μｍであり、開口率が０．８５であると仮定すれば、前記実験例から明らかなように、第２データ記録／再生面Ｌ１にデータを記録したり、あるいは記録されたデータを判読するためには、第１データ記録／再生面Ｌ０にデータを記録したり、あるいは記録されたデータを判読する時のパワーよりも少なくとも４％〜２０％以上増加されたパワーを有する光を用いることが望ましい。
【００３７】
このように、本発明による光記録媒体のデータ記録／再生方法は、第２データ記録／再生面Ｌ１にデータを記録したり、あるいは記録されたデータを判読する時、第１データ記録／再生面Ｌ０に使用された光よりも所定の比率だけパワーを増加させた光を使用することにより、第１データ記録／再生面Ｌ０の物理的な構造に影響されずに第２データ記録／再生面Ｌ１にデータを記録することができ、記録されたデータを判読することができる。
【００３８】
この結果は、第１及び第２データ記録／再生面Ｌ０、Ｌ１だけを含む光記録媒体だけではなく、ｎ個のデータ記録／再生面（ｎ≧２）よりなる複数のデータ記録／再生面を含む光記録媒体、例えば、光磁気ディスク、相変化ディスク（ＤＶＤ−ＲＷ、ＣＤ−ＲＷなど）、記録用ディスク（ＣＤ−Ｒ）または再生専用ディスクに適用可能である。
【００３９】
図８は、本発明の実施形態による光記録媒体、例えば、ＤＶＤの断面図である。これを参照すれば、本発明による光記録媒体は、第１データ記録／再生面６０が形成された第１情報基板５０と、第２データ記録／再生面７０が形成された第２情報基板５２とを具備し、これら第１及び第２情報基板５０、５２の間に設けられるものであって、両情報基板を第１及び第２データ記録／再生面６０、７０が対向するようにボンディングする半透光性接着層５４を具備する。第１データ記録／再生面６０は相異なる領域、例えば、ピット領域ＡＰ、ランド／グルーブ領域ＡＬ／Ｇ及びデータが記録されたランド／グルーブ領域ＡＬ／Ｇ／Ｍを含む。第２データ記録／再生面７０もこれと同様である。
【００４０】
以下、このような光記録媒体の光反射特性について説明する。
図８を参照すれば、光記録媒体に具備された複数の記録／再生面のうち選択されたいずれかの記録／再生面、例えば、第２データ記録／再生面７０に光が入射して選択されたいずれかの領域にスポットが結ばれる場合、第１データ記録／再生面６０から見た時、前記光はデフォーカスされた光となり、第１データ記録／再生面６０のピット領域ＡＰ、ランド／グルーブ領域ＡＬ／Ｇ及びデータが記録されたランド／グルーブ領域ＡＬ／Ｇ／Ｍが前記光に露出される。結局、第２データ記録／再生面７０の選択されたいずれかの領域には、第１データ記録／再生面６０のピット領域ＡＰ、ランド／グルーブ領域ＡＬ／Ｇ及びデータが記録されたランド／グルーブ領域ＡＬ／Ｇ／Ｍを通過する光Ｌｐ、ＬＬ／Ｇ、ＬＬ／Ｇ／Ｍが入射する。これらの領域の状態が相異なるため、光透過率も相異なる。このため、第２データ記録／再生面７０の選択されたいずれかの領域から反射された光Ｌ’Ｐ、Ｌ’Ｌ／Ｇ、Ｌ’Ｌ／Ｇ／Ｍの光量が異なってくる。すなわち、反射率が異なってくる。前記選択されたいずれかの領域はピット領域、ランド／グルーブ領域またはデータが記録されたランド／グルーブ領域である。
【００４１】
ここで、第１データ記録／再生面６０のピット領域ＡＰ、ランド／グルーブ領域ＡＬ／Ｇ及びデータが記録されたランド／グルーブ領域ＡＬ／Ｇ／Ｍを通過する光Ｌｐ、ＬＬ／Ｇ、ＬＬ／Ｇ／Ｍの第２データ記録／再生面７０の選択されたいずれかの領域における反射率を各々ｒ１、ｒ２及びｒ３とした時、前記各反射率は下記式（１）及び式（２）を満足する。
【００４２】
ｒ１≧ｒ２≧ｒ３                                       …（１）
【００４３】
【数３】
2005093069.tif 000005
【００４４】
一方、第１及び第２データ記録／再生面６０、７０は各々単層として示したが、少なくとも２個以上の記録／再生面を有し、各記録／再生面の間にスペーサ層が具備された複層であっても良い。この時、前記複層のうち選択されたいずれかの層の選択されたいずれかの領域における光反射率は前式（１），式（２）を満足する。但し、光源から最も近く具備された記録／再生面は、前記「選択されたいずれかの層」から除外される。
【００４５】
また、データの記録／再生のための光源が第１及び第２情報基板５０、５２の両側に各々具備される場合、接着層５４は遮光性物質層であるのが望ましいが、この時にも第１及び第２データ記録／再生面６０、７０は各々複層であり、各光源に最も近く具備された記録／再生面を除いては、複層のうち選択されたいずれかの層の選択されたいずれかの領域における光反射率は前述の特性を有することが望ましい。
【００４６】
図８に示されたような特性を有する光記録媒体に対し、ジッタ値が最小となる光パワーは約４．４ｍＷであり、ジッタが約２％（実際には２％以下であるが、システムにより約２％まで補正可能である）まで悪くなるパワーマージンは±０．９ｍＷの範囲にある。このため、前式（２）に示されたように、最適パワー対パワーマージンは約０．２（０．９／４．４により求められる）となる。
【００４７】
以上、多くの事項が具体的に記載されているが、これらは発明の範囲を限定するものではなく、望ましい実施形態の例示として解釈しなければならない。例えば、本発明が属する技術分野において通常の知識を有した者であれば、新しい光記録媒体に本発明の技術的な思想を適用して、他の記録／再生面の物理的な構造に関係なく特定の記録／再生面にデータを記録したり、あるいは記録されたデータを判読できることが理解できる筈である。また、本発明で提示する記録方法または記録方法を導き出すまでの過程を適用して、詳細な説明では述べていない新しい物理的な構造を有するデータ記録／再生面に対する記録方法を導き出せる筈である。この時、本発明による光記録媒体とは異なる特性を有するデータ記録／再生面を具備する光記録媒体を提示できる筈である。また、光記録媒体は少なくとも２枚以上の基板よりなり、各基板は複数のデータ記録／再生面を具備し、複数のデータ記録／再生面のうち選択されたいずれかの面は前述の特性を有するものでありうる。よって、本発明の範囲は前述した実施形態によって定まるものではなく、特許請求の範囲に記載された技術的な思想によって定まるべきである。
【図面の簡単な説明】
【００４８】
【図１】従来の技術による高密度光記録媒体の一部断面図である。
【図２】本発明の実験例に使用された光記録媒体の断面図である。
【図３】図２の光記録媒体に具備された第１データ記録／再生面において、ヘッド部を含む一領域の平面図である。
【図４】図２の光記録媒体に形成された第１及び第２データ記録／再生面の間に具備されたスペーサによる影響をテストするために、ｎ個のデータ記録／再生面を具備するモデルの断面図である。
【図５】本発明の実施形態による高密度光記録媒体及びこの高密度光記録媒体にデータを記録する方法を説明するための実験例において、シミュレーション結果と実際の測定の結果とを比較するために示すグラフである。
【図６】本発明の実施形態による高密度光記録媒体及びこの高密度光記録媒体にデータを記録する方法を説明するための実験例において、シミュレーション結果と実際の測定の結果とを比較するために示すグラフである。
【図７】本発明の実施形態による高密度光記録媒体及びこの高密度光記録媒体にデータを記録する方法を説明するための実験例において、シミュレーション結果と実際の測定の結果とを比較するために示すグラフである。
【図８】本発明の実施形態による高密度光記録媒体の断面図である。
【符号の説明】
【００４９】
５０  第１情報基板
５２  第２情報基板
５４  半透光性接着層
６０  第１データ記録／再生面
７０  第２データ記録／再生面
Ａｐ  ピット領域
ＡＬ／Ｇ  ランド／グルーブ領域
ＡＬ／Ｇ／Ｍ  データが記録されたランド／グルーブ領域
【図１】
2005093069.tif 000006
【図２】
2005093069.tif 000007
【図３】
2005093069.tif 000008
【図４】
2005093069.tif 000009
【図５】
2005093069.tif 000010
【図６】
2005093069.tif 000011
【図７】
2005093069.tif 000012
【図８】
2005093069.tif 000013